(57)【要約】【課題】Ｖ字状に掘削した土面の溝に、解体時の分離解体が容易にできるＶ字状排水溝の施工方法及び施工用ブロックを提供する。【解決手段】Ｖ字状に掘削した土面Ｓの溝Ｔに、へ字状に形成されたブロック１，１Ａを左右対称にして溝Ｔの底部で継ぎ合わせると共に、該ブロックを長手方向に連続して継ぎ合わせ、継ぎ合わせ部を目地接合剤２，６で固めて、両側に平坦な縁部３，３ａを有するＶ字状の排水溝を施工するようにしたＶ字状排水溝の施工方法及び施工用ブロック。【選択図】          図１
2004250959.tif 000002
【特許請求の範囲】
【請求項１】
Ｖ字状に掘削した土面の溝に、へ字状に形成されたブロックを左右対称にして溝の底部で継ぎ合わせると共に、長手方向に連続して継ぎ合わせ、継ぎ合わせ部を目地接合剤で固めて、両側に平坦な縁部を有するＶ字状の排水溝を施工することを特徴とするＶ字状排水溝の施工方法。
【請求項２】
溝の底部で継ぎ合わせるブロックの継ぎ合わせ部の上面を切欠いて凹んだ目地間隙を設け、該目地間隙を目地接合剤で固めて施工することを特徴とする請求項１記載のＶ字状排水溝の施工方法。
【請求項３】
ブロックの長手方向前後の端部と端部を凹凸嵌合させて継ぎ合わせ、継ぎ合わせ部に目地間隙を設けて、該目地間隙を目地接合剤で固めて施工することを特徴とする請求項１又は請求項２記載のＶ字状排水溝の施工方法。
【請求項４】
Ｖ字状に掘削された土面の溝の底部より左右いずれか片側の傾斜面と水平面に合わせてヘ字状に形成されてなることを特徴とするＶ字状排水溝の施工用ブロック。
【請求項５】
溝の底部で継ぎ合わせる継ぎ合わせ部の上面を切欠いて凹み段が形成されてなることを特徴とする請求項４記載のＶ字状排水溝の施工用ブロック。
【請求項６】
長手方向前後の両端部のいずれか片端部に凹みを設け、該凹みに嵌合する凸部が別端部に設けられてなることを特徴とする請求項４又は請求項５記載のＶ字状排水溝の施工用ブロック。
【発明の詳細な説明】
【０００１】
【発明の属する技術分野】
本発明は、Ｖ字状に掘削された土面の溝にヘ字状に形成されたブロックを継ぎ合わせて施工するＶ字状排水溝の施工方法及び施工用ブロックに関するものである。
【０００２】
【従来の技術】
本発明者は、先に特許第３３５０５１７号（特開２００２−０３８５１８号）公報において、Ｖ字状コンクリート排水溝の施工方法及び施工用バケットを提示している。
このやり方は、Ｖ字状に形成されたバケットで土面をＶ字状に掘削すると共にＶ字状に掘削された溝の両側にレールを敷設し、該レール上にバケットを載置して移動させながらバケットにコンクリートを投入することにより、Ｖ字状に掘削した土面をコンクリートで仕上げて排水溝を施工するものであった。
【０００３】
【発明が解決しようとする課題】
しかしながら、上記Ｖ字状コンクリート排水溝の施工方法及び施工用バケットによるやり方は、Ｖ字状のコンクリート排水溝がバケットの移動により連続的に打設されて仕上げられる点で人手を要することなく効率良く施工が行なわれて、施工時間の短縮及び施工費用の低減が図られるという利点があるが、Ｖ字状の排水溝は仮設の施設等を構築する場合など簡易的に施工されたり、或いは鳥の雛や蛙、蛇等の小動物が脱出しやすい形状であるから、田畑の畦等に用水路として施工されることも予想され、その場合施工されても解体撤去される可能性が多く、上記従来の技術でコンクリートが継目なく連続して打設されると、解体撤去の場合の破壊に要する手間がかかることや、解体撤去されたものは再利用できないこと、及び施工されるコンクリートがブロック製品として製造販売できない問題点がある。
【０００４】
又、上記バケットにより掘削できず、人手により掘削しなければならないような場所等の土面のＶ字状掘削溝には適用し難い問題点がある。
よって、本発明はこれらの問題点を解消することを目的としてなされたＶ字状排水溝の施工方法及び施工用ブロックを提供することを課題とする。
【０００５】
【課題を解決するための手段】
上記課題を達成すべく、本発明は以下に記載するような手段を講じてなるＶ字状排水溝の施工方法及び施工用ブロックとした。
すなわち、
（１）Ｖ字状に掘削した土面の溝に、へ字状に形成されたブロックを左右対称にして溝の底部で継ぎ合わせると共に、長手方向に連続して継ぎ合わせ、継ぎ合わせ部を目地接合剤で固めて、両側に平坦な縁部を有するＶ字状の排水溝を施工することを特徴とするＶ字状排水溝の施工方法。
（２）溝の底部で継ぎ合わせるブロックの継ぎ合わせ部の上面を切欠いて凹んだ目地間隙を設け、該目地間隙を目地接合剤で固めて施工することを特徴とする前項（１）記載のＶ字状排水溝の施工方法である。
（３）ブロックの長手方向前後の端部と端部を凹凸嵌合させて継ぎ合わせ、継ぎ合わせ部に目地間隙を設けて、該目地間隙を目地接合剤で固めて施工することを特徴とする前項（１）又は（２）記載のＶ字状排水溝の施工方法である。
【０００６】
そして、上記Ｖ字状排水溝の施工方法により、解体撤去時のブロック同士の分離解体が容易となり、手間をかけずに解体撤去することが可能となる。
施工におけるブロック同士の継ぎ合わせ接合は、Ｖ字状溝の底部の継ぎ合わせ部上面と、長手方向前後端部の凹凸嵌合部に目地間隙を設けて目地接合剤で固めることにより、目地接合剤が目地間隙にうまく充填されると共にしっかりと接合され、仕上がりもよく、作業能率も向上する。
【０００７】
又、上記施工方法によりＶ字状排水溝を施工するためのブロックは、
（４）Ｖ字状に掘削された土面の溝の底部より左右いずれか片側の傾斜面と水平面に合わせてヘ字状に形成されてなることを特徴とするＶ字状排水溝の施工用ブロック。
（５）溝の底部で継ぎ合わせる継ぎ合わせ部の上面を切欠いて凹み段が形成されてなることを特徴とする前項（４）記載のＶ字状排水溝の施工用ブロック。
（６）長手方向前後の両端部のいずれか片端部に凹みを設け、該凹みに嵌合する凸部が別端部に設けられてなることを特徴とする前項（４）又は（５）記載のＶ字状排水溝の施工用ブロックである。
【０００８】
そして、上記の如く形成されたブロックを、Ｖ字状に掘削された土の溝面に載せ当てて継ぎ合わせ施工すれば、左右に平坦な縁部を有するＶ字状の排水溝が形成され施工される。
又、上記ブロックには、継ぎ合わせ部を切欠いたり、凹みや凸部を設けて、継ぎ合わせた時に目地間隙が形成されるようにしてあり、該目地間隙に目地接合剤を充填して固めることにより継ぎ合わせ接合され、前記Ｖ字状の排水溝が形成され施工される。
【０００９】
【発明の実施の形態】
本発明の実施の形態を実施例を示す図１及び図２を参照して説明すると、図１の（Ａ）に示すように、土面ＳをＶ字状に掘削した土面の溝Ｔに、へ字状に形成されたブロック１，１Ａを左右対称にして溝Ｔの底部で突合せ、突合せ部の上面を切り欠いて凹み段１ａ，１ｂを設け、該凹み段により形成される目地間隙に目地接合剤２を充填して固めることにより、ブロック１，１Ａが接合されて両側に平坦な縁部３，３ａを有するＶ字状の排水溝が形成されて施工されており、図１の（Ｂ）には長手方向に前記ブロック１，・・・，１Ａ，・・・を連続して継ぎ合わせ、該継ぎ合わせたブロックの長手方向前後の両端部の片端部に凹み４，４，・・・を設けると共に、別端部には凸部５，５，・・・を設け、凹み４，４，・・・と凸部５，５，・・・を嵌合させて目地間隙に目地接合剤６，６，・・・を充填して固めることによりブロック１，・・・，１Ａ，・・・が継ぎ合わされて図２に示すＶ字状の排水溝が形成され施工される。
【００１０】
Ｖ字状に掘削した土面の溝Ｔの左右両サイドの平坦面Ｔ１，Ｔ２は、左右のブロック１，１Ａの平坦な縁部３，３ａと土面Ｓとが段差がないようにするため、掘下げられているが、掘下げなくても施工後に土を埋め戻すなどして段差がないようにしても良く、段差があっても差し支えない場合はこの限りでない。
【００１１】
へ字状に形成された前記ブロック１，１Ａは、一般的にはコンクリートで形成され、コンクリートの厚さが比較的に薄い場合、その内部には鉄筋７，・・・が適宜配筋されて、コンクリートの脆性が補強されるようにしてある。又、前記ブロック１，１Ａは、コンクリート以外の例えば合成樹脂や合成ゴム等で形成しても良く、更に防水、防腐処理を施せば木質合板等により形成しても良い。コンクリート以外のもので形成する場合は、鉄筋は配筋されないが、繊維を含有させて形成することによりその強度の向上が図られる。
【００１２】
前記ブロック１，１Ａを、斜視図で示した図３において説明すると、図３の（ａ）に示すブロック１と、図３の（ｂ）に示すブロック１Ａは左右対称にしてへ字状に形成されており、Ｖ字状に掘削した土面の溝の底部で継ぎ合わせるブロック１，１Ａの継ぎ合わせ部上面は切欠かれて凹み段１ａ，１ｂが設けられている。
【００１３】
又、ブロック１，１Ａの長手方向前後の両端部の片端部には凹み４，４が設けられ、別端部には凹み４，４と嵌合する凸部５，５が設けられていて、長手方向に多数のブロック１，１Ａを凹凸嵌合させて継ぎ合わせるようにしてある。
前記凹み４，４と凸部５，５はブロック１，１Ａの長手方向前後のいずれか片側に設けてブロック同士が凹凸嵌合するようにしてあればよく、図示するような凹凸嵌合に限定されるものではない。
【００１４】
更に、ブロック１，１Ａには吊り穴１ｃ，１ｄが穿設されており、ブロック１，１Ａがコンクリートのような重量ある材質で形成される場合にバランス良く吊れるようにして作業性が図られるようにしてあり、その吊り穴位置はバランス良く吊れるような位置であれば特に指定するものではない。
【００１５】
そして、ブロック１，１Ａを、Ｖ字状に掘削された土面の溝の左側と右側の斜面に載せ当てて、溝の底部で継ぎ合わせ、継ぎ合わせ部上面の凹み段１ａ，１ｂで形成される目地間隙に目地接合剤２（図１のＡ）を充填して固め、又長手方向にはブロック１，１Ａの凹み４，４と、次に継ぎ合わせるブロック１，１Ａの凸部５，５を嵌合させて継ぎ合わせ、継ぎ合わせ部に目地間隙が形成されるようにして目地接合剤６，・・・（図１のＢ）を充填して固めると、ブロック１，１Ａが一体となって長手方向に継ぎ合わされ、ブロック１，１Ａの縁部３，３ａが溝の両側に平坦に敷設されて図２に示すようなＶ字状の排水溝が形成され施工されることになる。
【００１６】
前記目地接合剤２，６は、ブロックがコンクリート製の場合、一般的にはモルタルが使用されるが、合成樹脂や合成ゴム製の場合は、その材質に適合する目地接合剤を使用すればよい。
【００１７】
このようにしてＶ字状排水溝が施工されることにより、解体撤去する場合のブロックの分離解体が容易となる。又、田畑の畦等に施工すれば、小動物が溝に落ち込んでも斜面に沿って脱出しやすく、生態系に優しい用水路となり得る。
【００１８】
【発明の効果】
以上記述した如く、本発明はＶ字状に掘削した土面の溝に、へ字状に形成されたブロックを左右対称にして溝の底部で継ぎ合わせると共に、長手方向に連続して継ぎ合わせ、継ぎ合わせ部を目地接合剤で固めて、両側に平坦な縁部を有するＶ字状の排水溝を施工するようにしたものであるから、ブロックの継ぎ合わせ部からの分離解体が容易であり、解体撤去するのに手間がかからず、解体撤去費用の低減が図られるほか、ブロックは工場等で形成して、製品として販売できる。
【００１９】
又、施工される排水溝は一体のＶ字状に形成されるが、分離解体後は二分割されてへ字状のブロックとなるから、小さくなって持ち運びやすくなると共に、保管する場合は嵩張らない。
【００２０】
更に、分離解体されたブロックは、再利用することもでき、産業廃棄物の排出の低減及び産業廃棄物処理費用の低減を図ることもできるほか、田畑の畦等に施工すれば、生態系に優しい用水路への利用効果が得られる。
【図面の簡単な説明】
【図１】本発明の実施例を示す断面図で、（Ｂ）は（Ａ）のＥ−Ｅ断面図である。
【図２】本発明の実施例を示す一部断面の斜視図である。
【図３】ブロックの実施例を示す斜視図である。
【符号の説明】
Ｓ  土面
Ｔ  溝
Ｔ１，Ｔ２  平坦面
１，１Ａ  ブロック
１ａ，１ｂ  凹み段
１ｃ，１ｄ  吊り穴
２，６  目地接合剤
３，３ａ  縁部
４  凹み
５  凸部
７  鉄筋
【図１】
2004250959.tif 000003
【図２】
2004250959.tif 000004
【図３】
2004250959.tif 000005